(57)【要約】  表示器用保護シート（３）は、表示器（１）の表示部（１ａ）よりも大きなサイズで形成されて表示部（１ａ）を覆う。また、表示器用保護シート（３）は、表示部（１ａ）を覆う中央領域（３ａ）の剛性よりも、中央領域（３ａ）の周囲を囲む外周領域（３ｂ）のうち少なくとも表示部（１ａ）側の反対側となる表面側の剛性のほうが高く、外周縁での耐剥離性の向上が図られる。
2017094125.tif 000002
【特許請求の範囲】
【請求項１】
表示器の表示部よりも大きなサイズで形成されて前記表示部を覆う表示器用保護シートであって、
表示部を覆う中央領域の剛性よりも、前記中央領域の周囲を囲む外周領域のうち少なくとも前記表示部側の反対側となる表面側の剛性のほうが高いことを特徴とする表示器用保護シート。
【請求項２】
前記中央領域および前記外周領域に跨って設けられた第１のシート材と、
前記第１のシート材の前記中央領域部分と重なる領域に開口が設けられて、前記第１のシート材の前記外周領域部分に対して前記表面側から貼付された第２のシート材と、を備え、
前記第２のシート材の剛性が前記第１のシート材の剛性よりも高いことを特徴とする請求項１に記載の表示器用保護シート。
【請求項３】
前記中央領域に設けられた第１のシート材と、
前記第１のシート材の周囲を囲んで前記外周領域に設けられ、前記第１のシート材の外周縁と接合された第２のシート材と、を備え、
前記第２のシート材の剛性が前記第１のシート材の剛性よりも高いことを特徴とする請求項１に記載の表示器用保護シート。
【請求項４】
前記第２のシート材の外周縁かつ前記表面側となる角部が面取りされていることを特徴とする請求項１から３のいずれか１つに記載の表示器用保護シート。
【請求項５】
前記中央領域および前記外周領域に跨って設けられるとともに、前記外周領域には前記中央領域側から前記外周領域の外周縁に向けて延びる複数の溝が形成されることを特徴とする請求項１に記載の表示器用保護シート。
【請求項６】
表示部が設けられた表示器と、
前記表示部が差し込まれる表示部開口が形成された操作盤と、
前記表示部開口を覆って、前記操作盤の表面のうち前記表示部開口の周囲に外周部が貼付された第１のシート材と、
前記第１のシート材の周囲を囲んで前記操作盤の表面に貼付された第２のシート材と、を備え、
前記第２のシート材の剛性が前記第１のシート材の剛性よりも高いことを特徴とする表示装置。
【請求項７】
表示部が設けられた表示器と、
前記表示部が差し込まれる表示部開口が形成された操作盤と、
前記表示部開口を覆って、前記操作盤の表面のうち前記表示部開口の周囲に外周部が貼付された第１のシート材と、
前記表示部開口と重なる領域に開口が設けられて、前記第１のシート材の外周部に前記表面側から貼付された第２のシート材と、を備え、
前記操作盤の表面のうち、前記第１のシート材および前記第２のシート材と重なる領域には、前記第１のシート材の厚さと前記第２のシート材の厚さの和以上の深さで溝が形成され、
前記第２のシート材の剛性が前記第１のシート材の剛性よりも高いことを特徴とする表示装置。
【請求項８】
前記表示部が感圧式のタッチパネルであることを特徴とする請求項６または７に記載の表示装置。
【発明の詳細な説明】
【技術分野】
【０００１】
本発明は、表示部を保護する表示器用保護シートおよび表示器用保護シートに保護された表示装置に関する。
【背景技術】
【０００２】
従来より、感圧式のタッチパネルである表示部が設けられた表示器を、操作盤に形成された開口から露出させた表示装置が用いられている。例えば特許文献１には、表示部を保護するために、表示部の表面を保護シートで覆う構成が開示されている。【０００３】
感圧式のタッチパネルは、表示部に触れたときの圧力を感知することで、表示部が操作されたことを検知する。そのため、表示部に触れたときの圧力を確実に感知するために、表示部を覆う保護シートの薄型化が図られる。
【先行技術文献】
【特許文献】
【０００４】
【特許文献１】特開２００５−１４９１０２号公報
【発明の概要】
【発明が解決しようとする課題】
【０００５】
しかしながら、薄型化が図られた保護シートは、その剛性が低下する。剛性が低下した保護シートは、外周縁に圧力が加わることで、外周縁で変形が起こり、剥がれやすくなる。表示装置は、使用環境によっては、高圧洗浄機によって洗浄される場合がある。高圧洗浄機からの水流が衝突することで、保護シートの外周縁が変形し、その変形部分から保護シートが剥がれてしまうおそれがある。そのため、表示部を保護する表示器用保護シートには、高圧洗浄機による洗浄にも耐えうる剥がれにくさが求められる場合がある。【０００６】
本発明は、上記に鑑みてなされたものであって、耐剥離性の向上を図ることができる表示器用保護シートを得ることを目的とする。
【課題を解決するための手段】
【０００７】
上述した課題を解決し、目的を達成するために、本発明にかかる表示器用保護シートは、表示器の表示部よりも大きなサイズで形成されて表示部を覆う。また、表示器用保護シートは、表示部を覆う中央領域の剛性よりも、中央領域の周囲を囲む外周領域のうち少なくとも表示部側の反対側となる表面側の剛性のほうが高いことを特徴とする。
【発明の効果】
【０００８】
本発明にかかる表示器用保護シートは、耐剥離性の向上を図ることができるという効果を奏する。
【図面の簡単な説明】
【０００９】
【図１】本発明の実施の形態１にかかる表示装置の正面図
【図２】図１に示すＩＩ−ＩＩ線に沿って切断した断面図
【図３】図２に示すＡ部分を拡大した部分拡大断面図
【図４】表示器用保護シートの変形例１を示す部分拡大断面図であって、図２に示すＡ部分に相当する図
【図５】表示器用保護シートの変形例２を示す部分拡大断面図であって、図２に示すＡ部分に相当する図
【図６】表示器用保護シートの変形例３を示す部分拡大断面図であって、図２に示すＡ部分に相当する図
【図７】表示器用保護シートの変形例４を示す部分拡大断面図であって、図２に示すＡ部分に相当する図
【図８】表示器用保護シートの変形例５を示す部分拡大断面図であって、図２に示すＡ部分に相当する図
【図９】本発明の実施の形態２にかかる表示装置の正面図
【図１０】図９に示すＸ−Ｘ線に沿って切断した断面図
【発明を実施するための形態】
【００１０】
以下に、本発明の実施の形態にかかる表示器用保護シートおよび表示装置を図面に基づいて詳細に説明する。なお、この実施の形態によりこの発明が限定されるものではない。
【００１１】
実施の形態１．
図１は、本発明の実施の形態１にかかる表示装置の正面図である。図２は、図１に示すＩＩ−ＩＩ線に沿って切断した断面図である。表示装置１０は、感圧式のタッチパネルとなっている表示部１ａが設けられた表示器１、表示器１が取り付けられる取付盤２、および表示部１ａを覆う表示器用保護シート３を備える。
【００１２】
表示器１の表示部１ａには、様々な情報が表示される。使用者が、目的の情報が表示された部分に触れると、触れた位置が圧力の変化によって感知されて、その場所に表示された情報への接触操作が行われたと判断される。
【００１３】
取付盤２には、表示器１の表示部１ａが差し込まれる表示部開口２１が形成されている。表示器１は、表示部１ａを取付盤２の裏面２ｂ側から差し込んだ状態で、取付金具４によって取付盤２に固定される。表示器１は、取付盤２に固定された状態において、取付盤２の表面２ａと表示部１ａとが面一とされる。
【００１４】
表示器用保護シート３は、取付盤２の表面２ａに貼付されている。図３は、図２に示すＡ部分を拡大した部分拡大断面図である。なお、図３では、表示器１を省略している。表示器用保護シート３は、取付盤２の表面２ａ側から見て、全体として表示器１の表示部１ａよりも大きいサイズで形成されて、表示部１ａを覆う。なお、以下の説明において、取付盤２の表面２ａ側から見ることを正面視という。
【００１５】
表示器用保護シート３は、表示部１ａを覆う中央領域３ａと、中央領域の周囲を囲む外周領域３ｂを有する。表示器用保護シート３は、第１のシート材３１と第２のシート材３２とを有する。第１のシート材３１は、中央領域３ａおよび外周領域３ｂに跨って設けられる。第１のシート材３１は、ＰＥＴ（Ｐｏｌｙｅｔｈｙｌｅｎｅ  ｔｅｒｅｐｈｔｈａｌａｔｅ）で形成される。
【００１６】
第１のシート材３１は、取付盤２の表面２ａのうち表示部開口２１を囲む部分に、接着部である両面テープ２２で貼付される。なお、接着部には接着剤を用いてもよい。なお、第１のシート材３１の厚さは、例えば０．１２５ｍｍとされる。
【００１７】
第２のシート材３２は、第１のシート材３１の中央領域３ａ部分と重なる領域に開口３３が設けられて、全体として枠状の形状を呈する。第２のシート材３２は、第１のシート材３１の外周領域３ｂ部分に、両面テープ２３で表面側から貼付される。これにより、正面視において、中央領域３ａでは第１のシート材３１が開口３３を通して露出し、外周領域３ｂでは表面側が第２のシート材３２に覆われる。第２のシート材３２は、ＰＣ（Ｐｏｌｙｃａｂｏｎａｔｅ）で形成される。また、第２のシート材３２の厚さは、第１のシート材３１よりも厚い厚さ、例えば１ｍｍとされる。
【００１８】
また、第２のシート材３２の外周縁かつ表面側となる角部は、面取りされた面取り部３２ａとなっている。また、第２のシート材３２のうち、取付盤２と対向する面には塗装が施された塗装面３５となっている。第２のシート材３２のうち取付盤２と対向する面は露出されないため、塗装材料の剥がれが発生しない。そのため、表示装置１０が設置される空間の清浄性の向上に寄与することができる。また、ＰＣのような透明材料を用いることで、取付盤２と対向する面に施された塗装を、第２のシート材３２を通して視認することが可能となる。これにより、塗装による意匠性の向上を図ることが可能となる。
【００１９】
以上説明した表示装置１０では、表示器用保護シート３の中央領域３ａに設けられた第１のシート材３１よりも、外周領域３ｂの表面側に設けられた第２のシート材３２の剛性のほうが高くなる。
【００２０】
したがって、外周縁に高圧洗浄機から噴出された水流が、表示器用保護シート３の外周縁と取付盤２との境界付近に衝突しても、表示器用保護シート３の外周縁が変形しにくくなる。これにより、表示器用保護シート３の取付盤２からの剥がれが発生しにくくなる。また、外周領域３ｂには、剛性の低い第１のシート材３１も設けられているが、外周領域３ｂの表面側に設けられた剛性の高い第２のシート材３２に押え付けられることで変形が抑えられるため、この観点からも表示器用保護シート３の取付盤２からの剥がれが発生しにくくなる。
【００２１】
また、第２のシート材３２に面取り部３２ａが形成されることで、水流の衝突による圧力を逃がすことができ、表示器用保護シート３の取付盤２からの剥がれをより一層抑制することができる。
【００２２】
また、表示器用保護シート３の外周領域３ｂでは表面側の剛性を高めて剥がれを抑えつつ、中央領域すなわち表示部１ａを覆う部分では剛性を抑えることで、使用者が触れた際に、より確実に圧力の変化を感知することが可能となる。
【００２３】
また、取付盤２の表面２ａと表示器１の表示部１ａが面一とされているため、表示器用保護シート３による凹凸を含めて考えたとしても、表示部１ａを取付盤２の表面２ａ側に突出させた場合に比べて、取付盤２の表面２ａ側での凹凸を少なくすることができる。これにより、取付盤２の表面２ａに埃が付着しにくくなり、表示装置１０が設置される空間の清浄性の向上に寄与することができる。
【００２４】
図４は、表示器用保護シート３の変形例１を示す部分拡大断面図であって、図２に示すＡ部分に相当する図である。なお、図４では、表示器１を省略している。変形例１では、中央領域３ａを覆う第１のシート材３１の周囲を囲むように第２のシート材３２が設けられる。すなわち、正面視において第１のシート材３１と第２のシート材３２は重なる領域を有していない。そして、第２のシート材３２の内周縁と、第１のシート材３１の外周縁とが、接着、圧着、または二色成形によって接合されている。また、第２のシート材３２は、両面テープ２３で直接取付盤２の表面２ａに貼付されている。このように構成した場合であっても、表示器用保護シート３の中央領域３ａよりも外周領域３ｂの剛性を高くすることで、外周縁からの剥がれの発生を抑制することができる。
【００２５】
図５は、表示器用保護シート３の変形例２を示す部分拡大断面図であって、図２に示すＡ部分に相当する図である。なお、図５では、表示器１を省略している。変形例２では、第２のシート材３２が第１のシート材３１の外周部に両面テープ２３で貼付されている。そして、取付盤２の表面２ａのうち正面視において第１のシート材３１および第２のシート材３２と重なる部分には、第１のシート材３１の厚さと第２のシート材３２の厚さの和以上の深さで溝２５が形成されている。そして、第１のシート材３１の外周部が両面テープ２２で溝２５の底部に貼付されている。
【００２６】
本変形例２における溝２５の深さは、より具体的には、第１のシート材３１の厚さと第２のシート材３２の厚さと両面テープ２２，２３の厚さとの和と等しくなっている。これにより、図５に示すように第２のシート材３２と取付盤２の表面２ａとが面一となる。これにより、埃の溜まりやすい凹凸箇所を減らして、表示装置１０が設けられる空間の清浄性の向上に寄与することができる。
【００２７】
また、表示器用保護シート３の外周縁が溝２５に嵌るため、外周縁に直接水流が衝突しにくくなる。これにより、表示器用保護シート３をより一層剥がれにくくすることができる。
【００２８】
図６は、表示器用保護シート３の変形例３を示す部分拡大断面図であって、図２に示すＡ部分に相当する図である。なお、図６では、表示器１を省略している。変形例３では、取付盤２の表面２ａに形成された溝２５が、表示部開口２１の開口縁に設けられた第１の溝２５ａと、第１の溝２５ａの外周側に形成されて第１の溝２５ａよりも浅く形成された第２の溝２５ｂを有する。
【００２９】
また、第２のシート材３２は、正面視において第１のシート材３１に重なりつつ、外周側にはみ出している。ここで、第１の溝２５ａの深さを、第１のシート材３１の厚さと第２のシート材３２の厚さと両面テープ２２，２３の厚さとの和と等しくし、第２の溝２５ｂの深さを第２のシート材３２の厚さと両面テープ２３の厚さとの和と等しくすることで、図６に示すように、第２のシート材３２と取付盤２の表面２ａとが面一となる。これにより、表示器用保護シート３がより一層剥がれにくくなる。また、埃の溜まりやすい凹凸箇所を減らして、表示装置１０が設けられる空間の清浄性の向上に寄与することができる。
【００３０】
図７は、表示器用保護シート３の変形例４を示す部分拡大断面図であって、図２に示すＡ部分に相当する図である。なお、図７では、表示器１を省略している。変形例４では、第１のシート材３１の厚さと両面テープ２２の厚さとの和と等しい深さで形成された溝２５の底面に、第１のシート材３１を両面テープ２２で貼付している。これにより、図７に示すように、第１のシート材３１と取付盤２の表面２ａとが面一となる。これにより、表示器用保護シート３の外周縁に水流が直接衝突しにくくなるため、表示器用保護シート３がより一層剥がれにくくなる。また、埃の溜まりやすい凹凸箇所を減らして、表示装置１０が設けられる空間の清浄性の向上に寄与することができる。
【００３１】
図８は、表示器用保護シート３の変形例５を示す部分拡大断面図であって、図２に示すＡ部分に相当する図である。変形例５では、中央領域３ａを覆う第１のシート材３１の周囲を囲むように第２のシート材３２が設けられる。すなわち、正面視において第１のシート材３１と第２のシート材３２は重なる領域を有していない。なお、上記変形例１と異なり、第２のシート材３２の内周縁と、第１のシート材３１の外周縁とが、接合されていない。そのため、第１のシート材３１の外周部が両面テープ２２で取付盤２の表面２ａに直接貼付され、第２のシート材３２が両面テープ２３で取付盤２の表面２ａに直接貼付されている。このような構成では、第１のシート材３１の外周縁が第２のシート材３２に囲まれるため、第１のシート材３１の外周縁に水流が直接衝突しにくくなる。これにより、表示器用保護シート３が備える第１のシート材３１および第２のシート材３２が取付盤２から剥がれにくくなる。
【００３２】
実施の形態２．
図９は、本発明の実施の形態２にかかる表示装置１１の正面図である。図１０は、図９に示すＸ−Ｘ線に沿って切断した断面図である。なお、上記実施の形態１と同様の構成については、同様の符号を付して詳細な説明を省略する。
【００３３】
本実施の形態２にかかる表示装置１１では、表示器用保護シート１３が中央領域１３ａおよび外周領域１３ｂに跨って設けられるとともに、外周領域１３ｂには中央領域１３ａ側から外周領域１３ｂの外周縁に向けて延びる複数の溝３４が形成される。また、外周領域１３ｂが両面テープ２２で取付盤２の表面２ａに貼付される。
【００３４】
このように、外周領域１３ｂに複数の溝３４を形成することで、外周領域１３ｂの剛性を中央領域１３ａの剛性よりも高くして、表示器用保護シート１３が取付盤２から剥がれることを抑制することができる。
【００３５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３６】
１  表示器、１ａ  表示部、２  取付盤、２ａ  表面、２ｂ  裏面、３  表示器用保護シート、３ａ  中央領域、３ｂ  外周領域、４  取付金具、１０，１１  表示装置、１３  表示器用保護シート、１３ａ  中央領域、１３ｂ  外周領域、２１  表示部開口、２２，２３  両面テープ、２５  溝、２５ａ  第１の溝、２５ｂ  第２の溝、３１  第１のシート材、３２  第２のシート材、３２ａ  面取り部、３３  開口、３４  溝、３５  塗装面。
【図１】
2017094125.tif 000003
【図２】
2017094125.tif 000004
【図３】
2017094125.tif 000005
【図４】
2017094125.tif 000006
【図５】
2017094125.tif 000007
【図６】
2017094125.tif 000008
【図７】
2017094125.tif 000009
【図８】
2017094125.tif 000010
【図９】
2017094125.tif 000011
【図１０】
2017094125.tif 000012
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
表示部が設けられた表示器と、
前記表示部が差し込まれる表示部開口が形成された操作盤と、
前記表示部開口を覆って、前記操作盤の表面のうち前記表示部開口の周囲に外周部が貼付された第１のシート材と、
前記表示部開口と重なる領域に開口が設けられて、前記第１のシート材の外周部に前記表示部側の反対側となる面に貼付された第２のシート材と、を備え、
正面視において前記第１のシート材の外周縁と前記第２のシート材の外周縁とが一致し、
前記操作盤の表面のうち、前記第１のシート材および前記第２のシート材と重なる領域には、前記第１のシート材の厚さと前記第２のシート材の厚さの和以上の深さで溝が形成され、
前記第２のシート材の剛性が前記第１のシート材の剛性よりも高いことを特徴とする表示装置。
【請求項２】
前記表示部が感圧式のタッチパネルであることを特徴とする請求項１に記載の表示装置。
【請求項３】
表示器の表示部よりも大きなサイズで形成されて前記表示部を覆う表示器用保護シートであって、
前記表示部を覆う中央領域と前記中央領域の周囲を囲む外周領域が一体に形成されて、前記外周領域の前記表示部側の面には前記中央領域側から前記外周領域の外周縁に向けて延びる複数の溝が形成され、前記溝が形成された部分は前記表示部側の反対側となる表面側に凸となっていることを特徴とする表示器用保護シート。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
表示部が設けられた表示器と、
前記表示部が差し込まれる表示部開口が形成された操作盤と、
前記表示部開口を覆って、前記操作盤の表面のうち前記表示部開口の周囲に外周部が貼付された第１のシート材と、
前記表示部開口と重なる領域に開口が設けられて、前記第１のシート材の外周部に前記表示部側の反対側となる面に貼付された第２のシート材と、を備え、
正面視において前記第１のシート材の外周縁と前記第２のシート材の外周縁とが一致し、
前記操作盤の表面のうち、前記第１のシート材および前記第２のシート材と重なる領域には、前記第１のシート材の厚さと前記第２のシート材の厚さの和以上の深さで溝が形成され、
前記第２のシート材の剛性が前記第１のシート材の剛性よりも高いことを特徴とする表示装置。
【請求項２】
前記表示部が感圧式のタッチパネルであることを特徴とする請求項１に記載の表示装置。
【国際調査報告】
2017094125.tif 000013
2017094125.tif 000014
2017094125.tif 000015
2017094125.tif 000016